(57)【要約】飲料分注ガンハンドル（２０）用の弁伸縮ばね（ＰＨ１０−２４）のための係止アクセスプラグ（２２、４２）を開示する。係止アクセスプラグは、弁伸縮ばねの圧縮および保持を可能にし、その取り外しの目的、例えば、ハンドルの修理のために作動されるまで、ハンドルの本体における係止アクセスプラグの保持を可能にする。そのような係止アクセスプラグを有する飲料分注ガンは、弁伸縮ばねの圧縮状態、ならびに係止アクセスプラグと飲料分注ガンハンドルとの間を密封する密封Ｏリングとの接合部分の両方を保持することができる。
2013503091.tif 000002
【特許請求の範囲】
【請求項１】
内部弁ばねを有する流体分注デバイスであって、
該流体分注デバイスは、
筺体部材と、
弁ばねおよび弁ばねリテーナを備えている弁アセンブリと
を備え、
該弁ばねは、該筺体部材の容器内に配置され、該弁アセンブリを閉じた状態に付勢し、
該弁ばねリテーナは、
該筺体部材の容器に受け取られる形状の第１の部分であって、該第１の部分は、該弁ばねの端部を受け取りかつ支持する形状のばね容器を備えている、第１の部分と、
該第１の部分に取り付けられた第２の部分と
を備え、
該第２の部分は、該筺体部材の容器内に該第１の部分を保持するために、該筺体部材の補完的形状部分を係合する形状である、
流体分注デバイス。
【請求項２】
前記弁ばねは、圧縮コイルばねである、請求項１に記載の流体分注デバイス。
【請求項３】
前記ばね容器は、円筒形状を有する、請求項２に記載の流体分注デバイス。
【請求項４】
前記第１の部分は、該第１の部分が前記筺体部材の容器内に受け取られる場合に、該筺体部材の容器と接合する密封Ｏリングと接合する形状である、請求項１に記載の流体分注デバイス。
【請求項５】
前記第１の部分は、前記密封Ｏリングの円形断面に対して約９０度離れて配置される少なくとも２つの点で密封Ｏリングに接触する形状である、請求項４に記載の流体分注デバイス。
【請求項６】
前記第１の部分は、該第１の部分が、前記筺体部材の容器から取り外される場合に、前記密封Ｏリングを保持する形状である、請求項４に記載の流体分注デバイス。
【請求項７】
前記第１の部分は、前記密封Ｏリングを保持するために、該密封Ｏリングの断面セクターに及ぶ複数の点で前記密封Ｏリングに接触する形状である、請求項６に記載の流体分注デバイス。
【請求項８】
前記弁ばねリテーナの前記第１の部分および前記筺体部材の容器のそれぞれは、実質的に軸対称の形状を有する、請求項１に記載の流体分注デバイス。
【請求項９】
前記第１の部分が前記筺体部材の容器内に受け取られている間、前記弁ばねリテーナは、前記第２の部分が前記筺体部材の補完的形状部分に係合していない非係合配向と、該第２の部分が該筺体部材の補完的形状部分に係合した係合配向との間で回転可能である、請求項１に記載の流体分注デバイス。
【請求項１０】
前記第２の部分は、片持ち特徴を備え、前記筺体部材の補完的形状部分は、前記弁ばねリテーナが前記係合配向にある場合の該片持ち特徴を受け取る細隙を備えている、請求項９に記載の流体分注デバイス。
【請求項１１】
前記第２の部分は、複数の片持ち特徴を備え、前記筺体部材の補完的形状部分は、複数の対応する細隙を備え、該細隙の各々は、前記弁ばねリテーナが前記係合配向にある場合に、前記片持ち特徴のうちの１つを受け取る、請求項１０に記載の流体分注デバイス。
【請求項１２】
前記複数の片持ち特徴は、前記弁ばねリテーナの回転の軸の周りに均一に分布し、前記第２の部分は、前記第１の部分に対して中央にある、請求項１１に記載の流体分注デバイス。
【請求項１３】
前記第２の部分の大部分は、前記弁ばねリテーナの回転の軸の方向に厚さを有し、前記片持ち特徴は、回転の軸の方向に、該第２の部分の大部分の厚さ未満である厚さを有する、請求項１０に記載の流体分注デバイス。
【請求項１４】
前記片持ち特徴の前記厚さは、前記第２の部分の大部分の厚さの約半分である、請求項１３に記載の流体分注デバイス。
【請求項１５】
前記第２の部分は、前記弁ばねリテーナが、ツールを介して前記係合配向と前記非係合配向との間で回転されることが可能であるように、該ツールの遠位端を受け取る形状の凹型駆動特徴を備えている、請求項９に記載の流体分注デバイス。
【請求項１６】
前記凹型駆動特徴は、マイナスねじ回しと接合する形状の細長い細隙を備えている、請求項１５に記載の流体分注デバイス。
【請求項１７】
前記第２の部分は、前記第１の部分の位置を前記筺体部材の容器の中に拘束するために、前記筺体部材の平面と接合する平面を備えている、請求項９に記載の流体分注デバイス。
【請求項１８】
ハンドル部材と、
複数の弁アセンブリと
を備え、
該複数の弁アセンブリの各々は、圧縮コイルばねおよび弁ばねリテーナを備え、該圧縮コイルばねの各々は、該ハンドル部材の対応する容器内に配置され、対応する弁アセンブリを閉じた状態に付勢し、
該弁ばねリテーナのうちの少なくとも１つは、
該ハンドル部材の対応する容器に受け取られる形状の第１の部分であって、該第１の部分は、対応する圧縮コイルばねの端部を受け取りかつ支持する形状のばね容器を備えている、第１の部分と、
該第１の部分に取り付けられた第２の部分と
を備え、
該第２の部分は、該ハンドル部材の対応する容器内に該第１の部分を保持するために、該ハンドル部材の補完的形状部分に係合する形状である、
飲料分注ガン。
【請求項１９】
前記第１の部分は、該第１の部分が、前記ハンドル部材の対応する容器内に受け取られる場合に、該ハンドル部材の対応する容器と接合する密封Ｏリングと接合する形状であり、
該第１の部分が該ハンドル部材の対応する容器内に受け取られている間、前記弁ばねリテーナは、前記第２の部分が前記ハンドル部材の補完的形状部分に係合していない非係合配向と、該第２の部分が該ハンドル部材の補完的形状部分に係合した係合配向との間で回転可能である、請求項１８に記載の飲料分注ガン。
【請求項２０】
前記第２の部分は、前記弁ばねリテーナが、ツールを介して前記係合配向と前記非係合配向との間で回転されることが可能であるように、該ツールの遠位端を受け取る形状の凹型駆動特徴を備えている、請求項１９に記載の飲料分注ガン。
【発明の詳細な説明】
【技術分野】
【０００１】
（関連出願の引用）
本願は、米国仮出願第６１／２３８，０４７号（２００９年８月２８日出願、名称「Ｌｏｃｋｉｎｇ  Ａｃｃｅｓｓ  Ｐｌｕｇ  ｆｏｒ  ａ  Ｂａｒ  Ｇｕｎ」、（代理人事件番号００７９６１−０１１７００ＵＳ）の利益を主張する。該出願の開示全体は、参照により本明細書に引用される。
【０００２】
（技術分野）
本発明は、概して、内部弁伸縮ばねを有する流体分注デバイスに関し、さらに具体的には、いくつかの異なる飲料が、適当なボタンを押すことによって単一の飲料分注ヘッドからいくつかの異なる飲料が分注される種類の飲料分注装置に関する。特に、本発明は、そのような飲料分注装置における弁伸縮ばねの保持の改善に関する。
【背景技術】
【０００３】
適当なボタンを押すだけで任意の多数の異なる飲料を分注する能力を操作者に提供する手持ち式飲料ディスペンサーは、周知である。そのような手持ち式ディスペンサーは、時々、バーガンと称される。１つのそのようなバーガンシステムは、開示の全体が、参照することによって本明細書に組み込まれる、譲受人の発行済み米国特許第４，９８６，４４９号、名称「Ｂｅｖｅｒａｇｅ  Ｄｉｓｐｅｎｓｉｎｇ  Ａｐｐａｒａｔｕｓ」（特許文献１）に記載される。
【０００４】
本発明の譲受人から利用可能な周知の飲料分注デバイス１２、１４は、図１および図２に示される。これらの図に示されるように、本技術の現在の状態は、弁伸縮ばねが、分注弁を、作動されるまで、「閉じた」位置に維持するように作用するように、弁伸縮ばね（ＰＨ１０−２４）を圧縮下に配置するために、円盤形部品（ＰＨ１０−２５スプリングハット）を使用する。図３は、図１および図２の飲料分注デバイスの簡略化したバージョンを示し、さらに、弁伸縮ばね（ＰＨ１０−２４）を圧縮下に配置するために、どのようにスプリングハット（ＰＨ１０−２５）が使用されるかを示す。複数のこれらのスプリングハット（ＰＨ１０−２５）は、典型的なアセンブリにおいて使用され、１つ以上のねじ（ＰＨ１０−７）によって固定されるかぶせ板（ＰＨ１２−２７、ＰＨ１４−２７）によって定位置に保持される。修理の間、かぶせ板は、取り外される。弁伸縮ばねが、顕著な圧縮力を有するため、スプリングハット（ＰＨ１０−２５）は、それらの位置から外され、少しの距離だけ周辺のアセンブリからはじき出され得る。
【０００５】
上述の周知の配置は、圧縮されたばねの力に対して作動する密封Ｏリング（ＰＨ１０−２６）によって提供される抵抗のみに依存する。想像できるように、かぶせ板（ＰＨ１２−２７、ＰＨ１４−２７）が取り外される場合、弁伸縮ばねにおける圧縮力は、しばしば、対応する保持された部品を、制御されていない方法でハンドルアセンブリからはじき出させる。
【先行技術文献】
【特許文献】
【０００６】
【特許文献１】米国特許第４，９８６，４４９号明細書
【発明の概要】
【課題を解決するための手段】
【０００７】
以下は、本発明の基本的な理解を提供するために、本発明のいくつかの実施形態の簡略化された概要を提示する。この概要は、本発明の広範な概説ではない。それは、本発明の主要な／重大な要素を特定するか、または本発明の範囲を詳述することを意図しない。その唯一の目的は、後に提示されるより詳細な説明の前段階として簡略化された形で本発明のいくつかの実施形態を提示することである。
【０００８】
本発明の実施形態は、弁伸縮ばねの圧縮および保持を可能にし、取り外しのため、例えば、ハンドルの修理のために作動されるまで、係止アクセスプラグをハンドルの本体に保持するように、係止アクセスプラグを伴う飲料分注ガンハンドルを向上させる。そのような係止アクセスプラグの使用は、単一の弁伸縮ばねの選択的なアクセスおよび取り外しを一度に可能にすることによって、弁伸縮ばねおよび／または関連構成要素の不注意な散乱および／または損失を防止するのに役立つ。
【０００９】
したがって、一態様では、内部弁ばねを有する流体分注デバイスが、提供される。流体分注デバイスは、筺体部材および弁アセンブリを含む。弁アセンブリは、弁ばねおよび弁ばねリテーナを含む。弁ばねは、筺体部材の容器内に配置され、弁アセンブリを閉じた状態に付勢しる。弁ばねリテーナは、第１の部分および第１の部分に取り付けられた第２の部分を含む。第１の部分は、筺体部材の容器に受け取られる形状であり、弁ばねの端部を受け取り、支持する形状のばね容器を含む。例えば、弁ばねリテーナの第１の部分および筺体部材の容器のそれぞれが、実質的に軸対称な形状を有し得る。第２の部分は、第１の部分を筺体部材の容器内に保持するように、筺体部材の補完的形状部分に係合する形状である。
【００１０】
弁ばねは、圧縮コイルばねであり得る。ばね容器は、例えば、そのような圧縮コイルばねの端部を受け取り、支持するように、円筒形状であり得る。
【００１１】
第１の部分は、第１の部分が、筺体部材の容器内に受け取られる場合に、筺体部材の容器と接合する密封Ｏリングと接合する形状であり得る。例えば、第１の部分は、密封Ｏリングの円形断面に対して約９０度離れて配置される少なくとも２つの点で密封Ｏリングに接触する形状であり得る。
【００１２】
第１の部分は、第１の部分が、筺体部材の容器から取り外される場合に、密封Ｏリングを保持する形状であり得る。例えば、第１の部分は、密封Ｏリングを保持するように、密封Ｏリングの断面セクターに及ぶ複数の点で密封Ｏリングに接触する形状であり得る。
【００１３】
弁ばねリテーナは、第１の部分が筺体部材の容器内に受け取られる間、第２の部分が、筺体部材の補完的形状部分に係合しない非係合配向と、第２の部分が、筺体部材の補完的形状部分に係合する係合配向との間で、回転可能であり得る。例えば、第２の部分は、片持ち特徴を含み得、筺体部材の補完的形状部分は、弁ばねリテーナが、係合配向にある場合に、片持ち特徴を受け取る細隙を含み得る。第２の部分は、複数の片持ち特徴を含み得、筺体部材の補完的形状部分は、弁ばねリテーナが、係合配向にある場合に、それぞれが、片持ち特徴のうちの１つを受け取る、複数の対応する細隙を含み得る。複数の片持ち特徴は、弁ばねリテーナの回転の軸の周りに均一に分布され得る。そして、第２の部分は、第１の部分に対して中央にあり得る。第２の部分の大部分は、弁ばねリテーナの回転の軸の方向に厚さを有し得、片持ち特徴は、回転の軸の方向に、第２の部分の大部分の厚さ未満である厚さ（例えば、第２の部分の大部分の厚さの半分）を有し得る。
【００１４】
弁ばねリテーナの第２の部分は、弁ばねリテーナが、ツールを介して係合配向と非係合配向との間で回転し得るように、ツールの遠位端を受け取る形状の凹型駆動特徴を含み得る。例えば、凹型駆動特徴は、マイナスねじ回しと接合する形状の細長い細隙を含み得る。一般的に、凹型駆動特徴は、任意の適切な駆動特徴（例えば、四角い駆動、十字穴、星型駆動、トルクス（登録商標）等）であり得る。
【００１５】
多くの実施形態では、第２の部分は、弁ばねリテーナの第１の部分の位置を筺体部材の容器の中に拘束する形状である。例えば、第２の部分は、弁ばねリテーナの第１の部分の位置を筺体部材の容器の中に拘束するように、筺体部材の平面と接合する平面を含み得る。
【００１６】
別の態様では、飲料分注ガンが、提供される。飲料分注ガンは、ハンドル部材および複数の弁アセンブリを含む。弁アセンブリのそれぞれは、圧縮コイルばねおよび弁ばねリテーナを含む。圧縮コイルばねのそれぞれは、ハンドル部材の対応する容器内に配置され、対応する弁アセンブリを閉じた状態に付勢する。弁ばねリテーナのうちの少なくとも１つは、第１の部分および第１の部分に取り付けられた第２の部分を含む。第１の部分は、ハンドル部材の対応する容器に受け取られる形状である。そして、第１の部分は、対応する圧縮コイルばねの端部を受け取り、支持する形状のばね容器を含む。第２の部分は、第１の部分をハンドル部材の対応する容器に保持するように、ハンドル部材も補完的形状部分に係合する形状である。
【００１７】
第１の部分は、密封Ｏリングと接合する形状であり得る。密封Ｏリングは、第１の部分が、ハンドル部材の対応する容器内に受け取られる場合に、ハンドル部材の対応する容器と接合する。
【００１８】
弁ばねリテーナは、第１の部分が、非係合配向と係合配向との間でハンドル部材の対応する容器内に受け取られている場合に、回転可能であり得る。非係合配向では、第２の部分は、ハンドル部材の補完的形状部分に係合しない。係合配向では、第２の部分は、ハンドル部材の補完的形状部分に係合する。
【００１９】
第２の部分は、ツールの遠位端を受け取る形状の凹型駆動特徴を含み得る。そのような凹型駆動特徴で、弁ばねリテーナは、ツールを介して係合配向と非係合配向との間で回転され得る。
【００２０】
本発明の性質および利点のさらなる理解のために、付随する図と併せて取考慮される以下の説明を参照するべきである。しかしながら、図のそれぞれは、解説および説明のみの目的で提供され、本発明の実施形態の制限を定義することを目的としないことが、明確に理解されるものである。
【図面の簡単な説明】
【００２１】
【図１】図１は、１２個のボタンのポスト混合飲料分注ガンの分解された部品の図である。
【図２】図２は、１４個のボタンのポスト混合飲料分注ガンの分解された部品の図である。
【図３】図３は、弁伸縮ばね設定を示す、飲料分注ガンハンドルの簡略化された分解された部品の図である。
【図４Ａ】図４Ａおよび図４Ｂは、多くの実施形態による、係止アクセスプラグを伴う飲料分注ガンハンドルを示す。
【図４Ｂ】図４Ａおよび図４Ｂは、多くの実施形態による、係止アクセスプラグを伴う飲料分注ガンハンドルを示す。
【図５Ａ】図５Ａは、図４Ａおよび図４Ｂの係止アクセスプラグの様々な詳細を示す。
【図５Ｂ】図５Ｂは、多くの実施形態による、密封Ｏリングを保持する形状の係止アクセスプラグの様々な詳細を示す。
【図６】図６は、図４Ａおよび図４Ｂの係止アクセスプラグならびに係止アクセスプラグに係合するために使用されるドライバーを示す。
【図７】図７は、ドライバーを介して非係合配向と係合配向との間で回転させられている図４Ａおよび図４Ｂの係止アクセスプラグを示す。
【図８】図８は、多くの実施形態による、複数の係止アクセスプラグを伴う飲料分注ハンドルを示す。
【発明を実施するための形態】
【００２２】
以下の説明において、本発明の様々な実施形態が記載される。説明の目的のため、特定の構成および詳細が、実施形態の徹底した理解を提供するために、記述される。しかしながら、本発明が、具体的詳細なしで履行され得ることも、当業者には明らかである。さらに、周知の特徴は、記載されている実施形態を曖昧にしないために、省略または簡略化される場合がある。
【００２３】
本発明の記載された実施形態は、弁伸縮ばねの圧縮および保持を可能にし、例えば、飲料分注ガンを修理するための取り外しのために作動されるまで、係止アクセスプラグ保持するように、係止アクセスプラグを伴う飲料分注ガンを向上させる。そのような係止アクセスプラグを有する飲料分注ガンは、弁伸縮ばねを圧縮状態に保持し、関連する開口を密封する目的でＯリングを受け入れることの両方が可能である。
【００２４】
ここで、同参照番号がいくつかの図を通して同部品を表す図を参照すると、図１は、１２個のボタンのポスト混合飲料分注ガン１２の分解された部品の図を示す。そして、図２は、１４個のボタンのポスト混合飲料分注ガン１４の分解された部品の図を示す。飲料分注ガン１２、１４は、複数の弁アセンブリを含む混合アセンブリを収容するハンドル部材（ＰＨ１２−１、ＰＨ１４−１）を含む。複数の飲料流体は、飲料流体が、関連する選択ボタン（ＰＨ１０−７４）を押すことによる弁アセンブリの選択的な作動によって、飲料分注ガン１２、１４から選択的に分注される、個々の流体ライン（例えば、流体ライン１６）を介して混合アセンブリに送達される。
【００２５】
弁アセンブリのそれぞれは、弁伸縮ばね（ＰＨ１０−２４）（例えば、圧縮コイルばね）を含む。カバープレート（ＰＨ１２−２７、ＰＨ１４−２７）を使用して、弁ばねアセンブリをハンドル部材（ＰＨ１２−１、ＰＨ１４−１）の対応する開口部内に保持する。
【００２６】
図３は、カバープレート（ＰＨ１２−２７）が取り外された状態のハンドル部材（ＰＨ１２−１）の簡略図であり、スプリングハット（ＰＨ１０−２５）および密封Ｏリング（ＰＨ１０−２６）の詳細を示す。図１〜３から分かるように、カバープレート（ＰＨ１２−２７）が取り外された状態では、密封Ｏリング（ＰＨ１０−２６）とハンドル部材（ＰＨ１２−１）との間の摩擦以外に、弁伸縮ばね（ＰＨ１０−２４）がハンドル部材（ＰＨ１２−１）からはじき出されることを防止するものはなく、それによって、関連構成要素（例えば、密封Ｏリング（ＰＨ１０−２６）、スプリングハット（ＰＨ１０−２５）、弁伸縮ばね（ＰＨ１０−２４））が散乱する。したがって、飲料分注ガン１２、１４が、分解される場合、弁アセンブリの部品は、必ずしも定位置に留まらず、圧縮された弁伸縮ばね（ＰＨ１０−２４）のエネルギーのために散乱される傾向がある。
【００２７】
図４Ａおよび図４Ｂは、多くの実施形態による、複数の係止アクセスプラグ２２を伴う飲料分注ガンハンドル２０を示す。図４Ａおよび図４Ｂにおいて分かるように、係止アクセスプラグ２２は、圧縮された弁伸縮ばね（ＰＨ１０−２４）を保持するように、飲料分注ガンハンドル２０の補完的形状部分を係合する形状である。係止アクセスプラグ２２のそれぞれは、対応する弁アセンブリの選択的な取り外しを提供するために個々に取り外され得る。係止アクセスプラグ２２は、また、飲料分注ガンハンドル２０が、部分的に分解される場合に、係止アクセスプラグ２２が、定位置に留まり得るように、密封Ｏリング（ＰＨ１０−２６）および飲料分注ガンハンドル２０の補完的形状構造に係合する形状および寸法である。係止アクセスプラグ２２は、係止アクセスプラグ２２が、飲料分注ガンハンドル２０に対して係合配向にある場合に、飲料分注ガンハンドル２０の補完的形状の細隙２８内に受け取られる形状である２つの反対の片持ち特徴２６を含む。
【００２８】
図５Ａは、図４Ａおよび図４Ｂの係止アクセスプラグ２２の様々な詳細を示す。係止アクセスプラグ２２は、飲料分注ガンハンドル２０の対応する容器に受け取られる形状および大きさの第１の部分３０および第１の部分に取り付けられる第２の部分３２を含む。第１の部分３０は、弁伸縮ばね（ＰＨ１０−２４）の端部を受け取り、支持する形状のばね容器３４を含む。ばね容器３４は、弁伸縮ばね（ＰＨ１０−２４）の端部を収容する円筒形状および大きさである。
【００２９】
第１の部分３０は、また、密封Ｏリング（ＰＨ１０−２６）と接合する形状である。図５Ａに示されるように、密封Ｏリング（ＰＨ１０−２６）は、第１の部分３０と接合し、係止アクセスプラグ２２と飲料分注ガンハンドル２０との間を密封するために、飲料分注ガンハンドル２０の容器と適切に接合するように、第１の部分３０の半径の限度を超えて適切な量だけ突出する。
【００３０】
第２の部分３２は、飲料分注ガンハンドル２０における補完的形状の細隙２８に係合する形状である。第２の部分３２は、係止アクセスプラグ２２が、係合配向にある場合に、補完的形状の細隙２８内に受け取られる、片持ち特徴２６を含む。係止アクセスプラグ２２を設置するために、係止アクセスプラグは、片持ち特徴２６が、補完的形状の細隙２８から離れるように方向付けられるように方向付けられ（例えば、図４Ｂに示される、左上の係止アクセスプラグに対して示されるように水平に方向付けられる）、その後、第１の部分３０は、飲料分注ガンハンドル２０の容器に挿入され、その後、係止アクセスプラグ２２は、片持ち特徴２６が、細隙２８内に受け取られるように、回転２４の軸の周りを回転する（例えば、図４Ｂに示される、６つの係止アクセスプラグのうちの５つに対して示される垂直に方向付けられる）。
【００３１】
係止アクセスプラグ２２は、凹型駆動特徴３６を含む。示される凹型駆動特徴は、マイナスねじ回しと接合する形状の細長い細隙であるが、任意の適切な凹型駆動特徴が、使用され得る（例えば、四角い駆動、十字穴、トルクス（登録商標）（ｔｏｒｘ）等）。
【００３２】
係止アクセスプラグ２２は、モノリシックな部分であり得る。係止アクセスプラグ２２は、鋳造、射出成形または他の適切な製造工程によって任意の適切な材料、例えば、適当なプラスチック材料から作製され得る。
【００３３】
図５Ｂは、密封Ｏリング（ＰＨ１０−２６）を保持する形状の第１の部分４４を含む係止アクセスプラグ４２を示す。係止アクセスプラグ４２は、係止アクセスプラグ２２と同様であるが、さらに、第１の部分４４からの密封Ｏリング（ＰＨ１０−２６）の不注意な分離を防止する保持フランジ４６を含む。例えば、係止アクセスプラグ４２が、飲料分注ガンハンドル２０の容器から取り外される場合、保持フランジ４６は、密封Ｏリングが、係止アクセスプラグ４２から滑り落ちず、容器に留まることを確実にする。
【００３４】
図６は、係止アクセスプラグ２２および係止アクセスプラグ２２を係合するために使用されるマイナスねじ回し４６を示す。係止アクセスプラグ２２は、圧縮されていない弁伸縮ばね（ＰＨ１０−２４）の突出端部が、ばね容器３４内に受け取られるように、位置付けられて示される。マイナスねじ回し４６は、凹型駆動特徴３６に挿入され、第１の部分３０を飲料分注ガンハンドル２０の容器に押し付けるために使用され、それによって、弁伸縮ばね（ＰＨ１０−２４）を圧縮する。
【００３５】
その後、係止アクセスプラグ２２は、片持ち特徴２６が、飲料分注ガンハンドル２０の補完的形状の細隙２８内に受け取られるように、回転の軸２４の周りを回転し得る。図７は、飲料分注ガンハンドル２０に対して係止アクセスプラグ２２を係止または解除するために、マイナスねじ回し４６で回転させられている係止アクセスプラグ２２を示す。
【００３６】
図８に示されるように、複数の係止アクセスプラグは、互いに係合する補完的形状の嵌合特徴を介して飲料分注ガンのハンドル内に対応する複数の弁アセンブリを保持するために使用され得る。有利に、係止アクセスプラグのそれぞれは、任意の所望の順序で、選択的に設置／取り外し可能である。それにより、弁アセンブリの構成要素の散乱および／または損失は、最小限および／または排除され得る。
【００３７】
他の変化は、本発明の趣旨内である。したがって、本発明は、様々な変更および代替構成の影響を受けやすいが、そのある示された実施形態は、図に示され、詳細に上述されている。しかしながら、本発明を開示される特定の形に限定する意図はないが、意図は、添付の請求項に記載されるように、本発明の趣旨および範囲内に該当するすべての変更、代替構成、および同等物を含めることが理解されるべきである。
【００３８】
「ある」および「１つの」および「その」および本発明を説明することに関連する（特に、以下の請求項に関連する）同様の指示対象は、本明細書において示されるか、または文脈によって明確に否定されない限り、単数形および複数形の両方を含めると解釈される。「備える」、「有する」、「含む」および「含有する」という用語は、指摘されない限り、制約がない用語（例えば、「を含むがこれに限定されるものではない」を意味する）として解釈される。「接続される」という用語は、何か介在するものがあったとしても、部分的または全体的に内に含有されるか、取り付けられるか、または結合されると解釈される。本明細書において提供されるいかなる、およびすべての例、または例示的言葉（例えば、「等」）の使用は、本発明の実施形態をより良く示すことのみを意図し、主張されない限り、本発明の範囲に限定をもたらさない。本明細書における言葉は、本発明の履行に不可欠ないかなる主張されない要素を示すと解釈されない。
【００３９】
本発明の好ましい実施形態は、本発明を実行するために発明者に周知の最良の態様を含み、本明細書に記載される。それらの好ましい実施形態の変化は、前述の説明を読み次第、当業者にとって明らかとなることがある。発明者は、当業者が、必要に応じて、そのような変化を使用することを予期し、発明者は、本発明が、本明細書に特定して記載される他に履行されることを意図する。したがって、本発明は、適用法によって許可されるように、本明細書に添付される請求項に挙げられる対象のすべての変更および同等物を含む。また、そのすべての可能な変化における上述の要素のいかなる組み合わせも、本明細書によって示されるか、または文脈によって明確に否定されない限り、本発明によって包含される。
【図１】
2013503091.tif 000003
【図２】
2013503091.tif 000004
【図３】
2013503091.tif 000005
【図４Ａ】
2013503091.tif 000006
【図４Ｂ】
2013503091.tif 000007
【図５Ａ】
2013503091.tif 000008
【図５Ｂ】
2013503091.tif 000009
【図６】
2013503091.tif 000010
【図７】
2013503091.tif 000011
【図８】
2013503091.tif 000012
【国際調査報告】
2013503091.tif 000013